【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
カラーフィルター組成物としての組成物の使用であって、該カラーフィルター組成物は、
ａ）フォトレジスト結合剤と、
ｂ）透明顔料と、
ｃ）場合により溶媒及び／又は場合により光開始剤若しくは光潜触媒と、
ｄ）下記：
ａ１）第１工程において、１つ以上のエチレン性不飽和モノマーを、構造要素：
【化３３】
2009543145.tif 000001
〔ここで、Ｘは、少なくとも１個の炭素原子を有する基であり、Ｘから誘導される遊離ラジカルＸ・が重合を開始できるものである〕を有する少なくとも１つのニトロキシエーテルの存在下で重合する工程、又は
ａ２）第１工程において、１つ以上のエチレン性不飽和モノマーを、少なくとも１つの安定した遊離ニトロキシルラジカル：
【化３４】
2009543145.tif 000002
及び遊離ラジカル開始剤の存在下で重合する工程（ここで、工程ａ１）又はａ２）で使用される少なくとも１つのモノマーは、アクリル又はメタクリル酸のＣ１〜Ｃ６アルキル又はヒドロキシＣ１〜Ｃ６アルキルエステルである）：並びに
ｂ）エステル交換反応、アミド化、加水分解若しくは無水物変性、又はこれらの組み合わせ、及び場合により追加的な四級化により、ａ１）又はａ２）で調製したポリマー又はコポリマーを変性することを含む第２工程
を含むプロセスにより得られるポリマー又はコポリマーである分散剤と
を含む、カラーフィルター組成物としての組成物の使用。
【請求項２】
分散剤が、請求項１記載の工程ａ１）又はａ２）と、
ｂ）エステル交換反応、アミド化、加水分解若しくは無水物変性、又はこれらの組み合わせ、及び場合により追加的な四級化により、ａ１）又はａ２）で調製したポリマー又はコポリマーを変性することを含む第２工程
とを含むプロセスにより得られるポリマー又はコポリマーである、請求項１記載のカラーフィルター組成物としての組成物の使用。
【請求項３】
第１重合工程がａ１）に従って実施される、請求項１又は２記載のカラーフィルター組成物としての組成物の使用。
【請求項４】
第２工程ｂ）がエステル交換反応である、請求項１又は２記載のカラーフィルター組成物としての組成物の使用。
【請求項５】
構造要素：
【化３５】
2009543145.tif 000003
が、式（Ｉ）：
【化３６】
2009543145.tif 000004
〔式中、
Ｇ１、Ｇ２、Ｇ３、Ｇ４は、独立してＣ１〜Ｃ６アルキルであるか、あるいはＧ１とＧ２若しくはＧ３とＧ４又はＧ１とＧ２及びＧ３とＧ４は、一緒になってＣ５〜Ｃ１２シクロアルキル基を形成し；
Ｇ５、Ｇ６は、独立して、Ｈ、Ｃ１〜Ｃ１８アルキル、フェニル、ナフチル又は基ＣＯＯＣ１〜Ｃ１８アルキルであり；
Ｘは、−ＣＨ２−フェニル、ＣＨ３ＣＨ−フェニル、（ＣＨ３）２Ｃ−フェニル、（Ｃ５〜Ｃ６シクロアルキル）２ＣＣＮ、（ＣＨ３）２ＣＣＮ、下記：
【化３７】
2009543145.tif 000005
−ＣＨ２ＣＨ＝ＣＨ２、ＣＨ３ＣＨ−ＣＨ＝ＣＨ２、（Ｃ１〜Ｃ４アルキル）ＣＲ２０−Ｃ（Ｏ）−フェニル、（Ｃ１〜Ｃ４）アルキル−ＣＲ２０−Ｃ（Ｏ）−（Ｃ１〜Ｃ４）アルコキシ、（Ｃ１〜Ｃ４）アルキル−ＣＲ２０−Ｃ（Ｏ）−（Ｃ１〜Ｃ４）アルキル、（Ｃ１〜Ｃ４）アルキル−ＣＲ２０−Ｃ（Ｏ）−Ｎ−ジ（Ｃ１〜Ｃ４）アルキル、（Ｃ１〜Ｃ４）アルキル−ＣＲ２０−Ｃ（Ｏ）−ＮＨ（Ｃ１〜Ｃ４）アルキル、（Ｃ１〜Ｃ４）アルキル−ＣＲ２０−Ｃ（Ｏ）−ＮＨ２からなる群より選択され、ここでＲ２０は、水素又は（Ｃ１〜Ｃ４）アルキルであり、そして
＊は、原子価を意味する〕
で示される構造要素である、請求項１記載のカラーフィルター組成物としての組成物の使用。
【請求項６】
構造要素：
【化３８】
2009543145.tif 000006
が、式（ＩＩ）：
【化３９】
2009543145.tif 000007
〔式中、
Ｇ１、Ｇ２、Ｇ３、Ｇ４は、独立してＣ１〜Ｃ６アルキルであるか、あるいはＧ１とＧ２若しくはＧ３とＧ４又はＧ１とＧ２及びＧ３とＧ４は、一緒になってＣ５〜Ｃ１２シクロアルキル基を形成し；
Ｇ５、Ｇ６は、独立して、Ｈ、Ｃ１〜Ｃ１８アルキル、フェニル、ナフチル又は基ＣＯＯＣ１〜Ｃ１８アルキルである〕
で示される構造要素である、請求項１記載のカラーフィルター組成物としての組成物の使用。
【請求項７】
式（Ｉ）の構造要素が、式（Ｏ１）：
【化４０】
2009543145.tif 000008
で示される化合物である、請求項１記載のカラーフィルター組成物としての組成物の使用。
【請求項８】
工程ａ１又はａ２のモノマーが、イソプレン、１，３−ブタジエン、α−Ｃ５〜Ｃ１８アルケン、４−ビニル−ピリジン若しくはピリジニウムイオン、２−ビニル−ピリジン若しくはピリジニウムイオン、ビニル−イミダゾール若しくはイミダゾリニウムイオン、ジメチルアクリルアミド、３−ジメチルアミノプロピルメタクリルアミド、スチレン、α−メチルスチレン、ｐ−メチルスチレン、ｐ−tert−ブチル−スチレン又は式：ＣＨ２＝Ｃ（Ｒａ）−（Ｃ＝Ｚ）−Ｒｂの化合物から選択され、ここで、Ｒａが、水素又はメチルであり、Ｒｂが、ＮＨ２、Ｏ−（Ｍｅ＋）、非置換Ｃ１〜Ｃ１８アルコキシ、少なくとも１個のＮ及び／若しくはＯ原子で中断されているＣ２〜Ｃ１００アルコキシ、又はヒドロキシ置換Ｃ１〜Ｃ１８アルコキシ、非置換Ｃ１〜Ｃ１８アルキルアミノ、ジ（Ｃ１〜Ｃ１８アルキル）アミノ、ヒドロキシ置換Ｃ１〜Ｃ１８アルキルアミノ若しくはヒドロキシ置換ジ（Ｃ１〜Ｃ１８アルキル）アミノ、−Ｏ−ＣＨ２−ＣＨ２−Ｎ（ＣＨ３）２又は−Ｏ−ＣＨ２−ＣＨ２−Ｎ＋Ｈ（ＣＨ３）２Ａｎ−であり；
Ａｎ−が、一価有機又は無機酸のアニオンであり；
Ｍｅが、一価金属原子又はアンモニウムイオンであり、
Ｚが、酸素又は硫黄である
請求項１記載のカラーフィルター組成物としての組成物の使用。
【請求項９】
工程ｂにおいて、アルコールが、非置換の直鎖若しくは分岐鎖Ｃ８〜Ｃ３６アルキルモノアルコール、若しくはこれらの混合物、又は１００個までのＣ原子を有するエチレンオキシド、プロピレンオキシド若しくはこれらの混合物から誘導されるモノアルコールである、請求項１記載のカラーフィルター組成物としての組成物の使用。
【請求項１０】
カラーフィルターを製造する方法であって、請求項１〜９のいずれか一項記載のカラーフィルター組成物を基材上に被覆し、続いて暴露及び現像することを含む方法。
【請求項１１】
ａ）フォトレジスト結合剤と、
ｂ）透明顔料と、
ｃ）場合により溶媒及び／又は場合により光開始剤若しくは光潜触媒と、
ｄ）下記：
ａ１）第１工程において、１つ以上のエチレン性不飽和モノマーを、構造要素：
【化４１】
2009543145.tif 000009
〔ここで、Ｘは、少なくとも１個の炭素原子を有する基であり、Ｘから誘導される遊離ラジカルＸ・が重合を開始できるものである〕を有する少なくとも１つのニトロキシエーテルの存在下で重合する工程、又は
ａ２）第１工程において、１つ以上のエチレン性不飽和モノマーを、少なくとも１つの安定した遊離ニトロキシルラジカル：
【化４２】
2009543145.tif 000010
及び遊離ラジカル開始剤の存在下で重合する工程（ここで、工程ａ１）又はａ２）で使用される少なくとも１つのモノマーは、アクリル又はメタクリル酸のＣ１〜Ｃ６アルキル又はヒドロキシＣ１〜Ｃ６アルキルエステルである）：並びに
ｂ）エステル交換反応及び場合により追加的に四級化を行ない（ここでエステル交換反応のアルコールは、非置換の直鎖若しくは分岐鎖Ｃ８〜Ｃ３６アルキルモノアルコール、若しくはこれらの混合物、又は１００個までのＣ原子を有するエチレンオキシド、プロピレンオキシド若しくはこれらの混合物から誘導されるモノアルコールである）、ａ１）又はａ２）で調製したポリマー又はコポリマーを変性することを含む第２工程
を含むプロセスにより得られるポリマー又はコポリマーである分散剤と
を含むカラーフィルター組成物。
【請求項１２】
分散剤が、請求項１記載の工程ａ１）又はａ２）と、
ｂ）エステル交換反応及び場合により追加的な四級化により、ａ１）又はａ２）で調製したポリマー又はコポリマーを変性することを含む第２工程
とを含むプロセスにより得られるポリマー又はコポリマーである、請求項１１記載のカラーフィルター組成物。
【請求項１３】
第１重合工程がａ１）に従って実施される、請求項１１記載のカラーフィルター組成物。
【請求項１４】
構造要素：
【化４３】
2009543145.tif 000011
が、式（Ｉ）：
【化４４】
2009543145.tif 000012
〔式中、
Ｇ１、Ｇ２、Ｇ３、Ｇ４は、独立してＣ１〜Ｃ６アルキルであるか、あるいはＧ１とＧ２若しくはＧ３とＧ４又はＧ１とＧ２及びＧ３とＧ４は、一緒になってＣ５〜Ｃ１２シクロアルキル基を形成し；
Ｇ５、Ｇ６は、独立して、Ｈ、Ｃ１〜Ｃ１８アルキル、フェニル、ナフチル又は基ＣＯＯＣ１〜Ｃ１８アルキルであり；
Ｘは、−ＣＨ２−フェニル、ＣＨ３ＣＨ−フェニル、（ＣＨ３）２Ｃ−フェニル、（Ｃ５〜Ｃ６シクロアルキル）２ＣＣＮ、（ＣＨ３）２ＣＣＮ、下記：
【化４５】
2009543145.tif 000013
−ＣＨ２ＣＨ＝ＣＨ２、ＣＨ３ＣＨ−ＣＨ＝ＣＨ２、（Ｃ１〜Ｃ４アルキル）ＣＲ２０−Ｃ（Ｏ）−フェニル、（Ｃ１〜Ｃ４）アルキル−ＣＲ２０−Ｃ（Ｏ）−（Ｃ１〜Ｃ４）アルコキシ、（Ｃ１〜Ｃ４）アルキル−ＣＲ２０−Ｃ（Ｏ）−（Ｃ１〜Ｃ４）アルキル、（Ｃ１〜Ｃ４）アルキル−ＣＲ２０−Ｃ（Ｏ）−Ｎ−ジ（Ｃ１〜Ｃ４）アルキル、（Ｃ１〜Ｃ４）アルキル−ＣＲ２０−Ｃ（Ｏ）−ＮＨ（Ｃ１〜Ｃ４）アルキル、（Ｃ１〜Ｃ４）アルキル−ＣＲ２０−Ｃ（Ｏ）−ＮＨ２からなる群より選択され、ここでＲ２０は、水素又は（Ｃ１〜Ｃ４）アルキルであり、そして
＊は、原子価を意味する〕
で示される構造要素である、請求項１１記載のカラーフィルター組成物。
【請求項１５】
構造要素：
【化４６】
2009543145.tif 000014
が、式（ＩＩ）：
【化４７】
2009543145.tif 000015
〔式中、
Ｇ１、Ｇ２、Ｇ３、Ｇ４は、独立してＣ１〜Ｃ６アルキルであるか、あるいはＧ１とＧ２若しくはＧ３とＧ４又はＧ１とＧ２及びＧ３とＧ４は、一緒になってＣ５〜Ｃ１２シクロアルキル基を形成し；
Ｇ５、Ｇ６は、独立して、Ｈ、Ｃ１〜Ｃ１８アルキル、フェニル、ナフチル又は基ＣＯＯＣ１〜Ｃ１８アルキルである〕
で示される構造要素である、請求項１１記載のカラーフィルター組成物。
【請求項１６】
式（Ｉ）の構造要素が、式（Ｏ１）：
【化４８】
2009543145.tif 000016
で示される化合物である、請求項１１記載のカラーフィルター組成物。
【請求項１７】
工程ａ１又はａ２のモノマーが、イソプレン、１，３−ブタジエン、α−Ｃ５〜Ｃ１８アルケン、４−ビニル−ピリジン若しくはピリジニウムイオン、２−ビニル−ピリジン若しくはピリジニウムイオン、ビニル−イミダゾール若しくはイミダゾリニウムイオン、ジメチルアクリルアミド、３−ジメチルアミノプロピルメタクリルアミド、スチレン、α−メチルスチレン、ｐ−メチルスチレン、ｐ−tert−ブチル−スチレン又は式：ＣＨ２＝Ｃ（Ｒａ）−（Ｃ＝Ｚ）−Ｒｂの化合物から選択され、ここで、Ｒａが、水素又はメチルであり、Ｒｂが、ＮＨ２、Ｏ−（Ｍｅ＋）、非置換Ｃ１〜Ｃ１８アルコキシ、少なくとも１個のＮ及び／若しくはＯ原子で中断されているＣ２〜Ｃ１００アルコキシ、又はヒドロキシ置換Ｃ１〜Ｃ１８アルコキシ、非置換Ｃ１〜Ｃ１８アルキルアミノ、ジ（Ｃ１〜Ｃ１８アルキル）アミノ、ヒドロキシ置換Ｃ１〜Ｃ１８アルキルアミノ若しくはヒドロキシ置換ジ（Ｃ１〜Ｃ１８アルキル）アミノ、−Ｏ−ＣＨ２−ＣＨ２−Ｎ（ＣＨ３）２又は−Ｏ−ＣＨ２−ＣＨ２−Ｎ＋Ｈ（ＣＨ３）２Ａｎ−であり；
Ａｎ−が、一価有機又は無機酸のアニオンであり；
Ｍｅが、一価金属原子又はアンモニウムイオンであり、
Ｚが、酸素又は硫黄である
請求項１１記載のカラーフィルター組成物。